(57)【要約】【課題】  液晶表示装置において、１つの表示用ＬＣＤ上で異なる２つの表示画像を複数の観察者が個別に視認できる２画面表示の実現を図る。【解決手段】  本発明の液晶表示装置は、バックライト用光源ＢＬと、その光から直線偏光を抽出する第１の偏光板１１と、複数の列に分割された液晶層から成り各列毎に光学的位相差を制御する偏光制御用ＬＣＤ２０と、上記各列に沿って配置されたレンチキュラーレンズ３０と、複数の行に分割され、第１の光学的位相差の付与された第１の行４１と付与されない第２の行４２とが交互に配置された第１の位相差板４０と、表示用ＬＣＤ５０と、それを挟む第２及び第３の偏光板１２,１３と、を備えたことを特徴とする。【選択図】  図１
2006276569.tif 000002
【特許請求の範囲】
【請求項１】
バックライト用光源と、前記バックライト用光源から直線偏光を抽出する第１の偏光板と、１対の透明電極に挟まれて複数の列に分割された液晶層から成り、各列の液晶層毎に光学的位相差を制御する偏光制御用液晶素子と、前記液晶層の列に沿って配置されたレンチキュラーレンズと、複数の行に分割され、第１の光学的位相差が付与された行と前記第１の光学的位相差と異なる光学的位相差が付与された行とが交互に配置された第１の位相差板と、表示用液晶パネルと、前記表示用液晶パネルを挟む第２及び第３の偏光板と、を備え、
前記偏光制御素子は、その表面及び裏面に、第２の光学的位相差を有した第２の位相差板及び第３の位相差板をそれぞれ備えていることを特徴とする液晶表示装置。
【請求項２】
前記偏光制御用液晶素子は、電圧無印加時に実質的に光学的位相差を発生させるものでなく、垂直配向モードにより駆動し、電圧印加時に前記直線偏光の波長の２分の１の光学的位相差を発生させるものであり、
前記第２の位相差板の前記第２の光学的位相差は、その直線偏光の波長の４分の１であることを特徴とする請求項１記載の液晶表示装置。
【請求項３】
前記偏光制御用液晶素子を構成する前記１対の透明電極の少なくともいずれか一方に、前記液晶層の液晶分子の配向を制御する配向制御部が形成されていることを特徴とする請求項２記載の液晶表示装置。
【請求項４】
バックライト用光源と、前記バックライト用光源から直線偏光を抽出する第１の偏光板と、１対の透明電極に挟まれて複数の列に分割された液晶層から成り、各列の液晶層毎に光学的位相差を制御する偏光制御用液晶素子と、前記液晶層の列に沿って配置されたレンチキュラーレンズと、複数の行に分割され、第１の光学的位相差が付与された行と前記第１の光学的位相差と異なる光学的位相差が付与された行とが交互に配置された第１の位相差板と、表示用液晶パネルと、前記表示用液晶パネルを挟む第２及び第３の偏光板と、を備え、
前記偏光制御素子は、その表面に、第２の光学的位相差を有した第２の位相差板を備えていることを特徴とする液晶表示装置。
【請求項５】
前記偏光制御用液晶素子は、電圧無印加時にその直線偏光の波長の２分の１の光学的位相差を発生させるものであり、電界制御複屈折モードにより駆動するものであり、
前記第２の位相差板の前記第２の光学的位相差は、前記偏光制御用液晶素子の前記液晶層の電圧印加時に生じる光学的位相差と同一であることを特徴とする請求項４記載の液晶表示装置。
【請求項６】
前記レンチキュラーレンズの配置位置は、そのレンチキュラーレンズを透過する直線偏光の進行方向が所定の方向となるように調節されることを特徴とする請求項１、２、３、４、５のいずれかに記載の液晶表示装置。
【請求項７】
前記１対の表示用偏光板の一方の表面上に、視野角を拡大する光学的位相差を有した光学補償フィルムが形成されていることを特徴とする請求項１、２、３、４、５、６のいずれかに記載の液晶表示装置。
【発明の詳細な説明】
【技術分野】
【０００１】
本発明は、液晶表示装置に関し、特に、１つの表示用液晶パネル上で２画面表示が可能な液晶表示装置に関する。
【背景技術】
【０００２】
従来より、テレビ受像機や情報機器等に搭載される表示装置として、表示用の液晶パネル（ＬＣＤ；Ｌｉｑｕｉｄ  Ｃｒｙｓｔａｌ  Ｄｉｓｐｌａｙ，以降、「ＬＣＤ」と略称する）を用いた液晶表示装置が知られている。この液晶表示装置に関しては、近年の情報機器の多様化に伴い、通常の１画面表示のみならず、１つの表示用ＬＣＤ上で異なる２つの表示画像を複数の観察者が個別に視認できる２画面表示や、立体視を可能にする３次元表示等の多用な表示モードの実現が求められている。
【０００３】
なお、本願に関連する技術文献としては、以下の特許文献が挙げられる。
【特許文献１】特開２００４−２８００４２号公報
【発明の開示】
【発明が解決しようとする課題】
【０００４】
しかしながら、１つの表示用ＬＣＤ上での２画面表示や３次元表示等の表示モードを有する液晶表示装置の開発は未だに不充分なものであり、さらなる進展が求められていた。また、２画面表示や３次元表示等の異なる表示モードを任意に切り替えることが可能な液晶表示装置の開発の要望があった。
【課題を解決するための手段】
【０００５】
本発明の液晶表示装置は、上記課題に鑑みて為されたものであり、バックライト用光源と、その光源から直線偏光を抽出する第１の偏光板と、１対の透明電極に挟まれて複数の列に分割された液晶層から成り、各列の液晶層毎に光学的位相差を制御する偏光制御用液晶素子と、上記液晶層の列に沿って配置されたレンチキュラーレンズと、複数の行に分割され、第１の光学的位相差が付与された行とその第１の光学的位相差と異なる光学的位相差が付与された行とが交互に配置された第１の位相差板と、表示用液晶パネルと、前記表示用液晶パネルを挟む第２及び第３の表示用偏光板と、を備えることを特徴とする。
【０００６】
ここで、上記偏光制御素子は、垂直配向モードにより駆動し、その表面及び裏面に、第２の光学的位相差を有した第２の位相差板及び第３の位相差板をそれぞれ備えている。もしくは、上記偏光制御素子は、電界制御複屈折モードにより駆動し、その裏面に、上記液晶層の電圧印加時に生じる光学的位相差と同一である第２の光学的位相差を有した第２の位相差板を備えている。
【発明の効果】
【０００７】
本発明の液晶表示装置によれば、観察者の希望に応じて異なる表示画像が要求された場合、異なる２つの表示画像を１つの表示用液晶パネル上で各観察者が個別に視認（即ち２画面表示）することが可能となる。その結果、表示画像による情報伝達の効率を向上させることができる。
【０００８】
また、偏光制御用液晶素子の制御及びレンチキュラーレンズの配置位置の調節により、上記２次元の２画面表示のみならず、２次元の１画面表示及び３次元の１画面表示の各表示モードを液晶表示装置側で任意に切り替えることが可能となる。
【発明を実施するための最良の形態】
【０００９】
次に、本発明の第１の実施形態に係る液晶表示装置について図面を参照して説明する。
図１は、本実施形態に係る液晶表示装置を説明する断面図である。また、図２及び図４は、本実施形態に係る液晶表示装置を説明する斜視図である。また、図３は、本実施形態の液晶装置を説明する平面図である。なお、図１及び図２では、後述する第２及び第３の位相差板２３Ａ,２３Ｂの図示は省略されており、さらに図２では、第３の偏光板１３の図示は省略されている。また、図４では、後述する第３の偏光板１３、レンチキュラーレンズ３０及び表示用ＬＣＤ５０の図示は省略されている。
【００１０】
図１及び図２に示すように、バックライト用光源ＢＬと対向して、その全方位光から直線偏光を抽出する第１の偏光板１１が配置されている。第１の偏光板１１の観察者側には、第１の偏光板１１により抽出された直線偏光の偏光軸の角度（直線偏光の進行方向と直交する平面における偏光軸の角度）を光学的位相差により制御する偏光制御用ＬＣＤ２０が配置されている。
【００１１】
この偏光制御用ＬＣＤ２０は、１対の透明電極（不図示）に挟まれて垂直配向（ＶＡ；Ｖｅｒｔｉｃａｌ  Ａｌｉｇｎｍｅｎｔ）モードにより駆動する液晶層から成り、その液晶層は複数の列に区分された第１の液晶部２１及び第２の液晶部２２から成る。ここで、第１の液晶部２１及び第２の液晶部２２では、制御回路（不図示）によって１対の透明電極（不図示）への電圧印加の有無が制御され、液晶分子による所定の光学的位相差が生じるように制御される。この所定の光学的位相差は、入射する直線偏光の波長をλとした場合、例えばλ／２であり、入射する直線偏光の偏光軸の角度を９０度回転させるものである。
【００１２】
その際、垂直配向された液晶分子は、電圧印加の際に特定の方向に配向するような所定の傾きを有する必要があるが、その傾きは、図３（Ａ）の平面図及びそのＸ−Ｘ線に沿った断面図である図３（Ｂ）に示すように、１対の透明電極２５（１対の透明基板に形成される）の少なくともいずれか一方に形成された突起部もしくスリット部から成る配向制御部２４によって与えられることが好ましい。もしくは、上記傾きはその他の配向処理により与えられてもよい。
【００１３】
さらに、偏光制御用ＬＣＤ２０の観察者側には、第１及び第２の液晶部２１,２２の各列に沿って平行に凸面が連続するレンチキュラーレンズ３０が配置されている。このレンチキュラーレンズ３０は、第１及び第２の液晶部２１,２２毎に偏光軸の角度が異なる直線偏光を、それぞれ異なる２つの方向、即ち第１の観察者Ａに向かう第１の方向、及び第２の観察者Ｂに向かう第２の方向にそれぞれ屈折させる。
【００１４】
このレンチキュラーレンズ３０と対向した位置には、第１の位相差板４０が配置されている。第１の位相差板４０は、複数の行に分割され、第１の光学的位相差が付与された第１の行４１（例えば奇数行）と、第１の光学的位相差と異なる光学的位相差が付与された第２の行４２（例えば偶数行）とが交互に配置されて成る。これらの第１の行４１及び第２の行４２は、各行から出射した直線偏光の偏光軸が互いに直交するように形成される。例えば、第１の行に付与された第１の光学的位相差をλ／２とし、第２の行に付与された第１の光学的位相差と異なる光学的位相差を零とする。この第１の位相差板４０は、第２の偏光板１２と第３の偏光板１３（図３では不図示）とによって挟まれた表示用ＬＣＤ５０に接合されている。
【００１５】
ここで、第２の偏光板１２は第１の偏光板１１と同一の偏光軸の角度（例えば４５度）を有している。また、第３の偏光板１３は、第２の偏光板１２とクロスニコル配置（偏光軸の角度が互いに直交する配置）されている。また、表示用ＬＣＤ５０の表示画素の画素ピッチは、上記第１の位相差板４０の第１及び第２の行４１,４２のピッチと一致しているものとする。
【００１６】
さらに、本実施形態では、図４に示すように、上記構成における偏光制御用ＬＣＤ２０の両面に、第２の光学的位相差を有した第２の位相差板２３Ａ及び第３の位相差板２３Ｂが配置されている。この第２の光学的位相差は、バックライト用光源ＢＬから抽出した直線偏光の波長をλとした場合、λ／４となる光学的位相差である。即ち、第２の位相差板２３Ａ及び第３の位相差板２３Ｂは、第１の偏光板１１の透過軸（偏光軸）に対して４５度ずれた遅相軸を有している。また、第２の位相差板２３Ａの遅相軸と第３の位相差板２３Ｂの遅相軸とは互いに直交している。
【００１７】
次に、本実施形態の液晶表示装置の動作について図面を参照して説明する。図５は、本実施形態の液晶表示装置の動作を説明する概念図である。
【００１８】
図５に示すように、最初に、第１の偏光板１１により、バックライト用光源ＢＬの全方位光から直線偏光が抽出される。この直線偏光は、第１の偏光板１１の透過軸（偏光軸）に対して、その遅相軸が４５度になるように配置された第２の位相差板２３Ａを透過することにより円偏光となり、偏光制御用ＬＣＤ２０へ入射する。ここで、所定の光学的位相差λ／２を有した第１の液晶部２１へ入射した光の偏光軸の角度は上記光学的位相差によって９０度回転する。さらに、その液晶層から出射した光は、第２の位相差板２３Ａの遅相軸と直交する遅相軸を有した第３の位相差板２３Ｂに入射し、再び直線偏光となり出射される。
【００１９】
即ち、この偏光軸の角度は、第１及び第２の偏光板１１,１２の偏光軸と直交する角度となる。一方、電圧印加されずに光学的位相差が生じていない第２の液晶部２２に入射した直線偏光は、その偏光軸の角度を保ったまま出射される。即ち、この偏光軸の角度は、第１及び第２の偏光板１１,１２の偏光軸と同じ角度となる。
【００２０】
このとき、上述した第２及び第３の位相差板２３Ａ,２３Ｂにより、偏光制御用ＬＣＤ２０内で生じる複屈折による不要な光学的位相差を除去することが可能となり、その液晶層の液晶分子の配向方向が一様でない場合にも良好な透過特性が得られる。
【００２１】
次に、偏光制御用ＬＣＤ２０から出射した上記光学的位相差の異なる２種類の直線偏光は、不図示のレンチキュラーレンズ３０を透過することにより、それぞれ異なる２つの方向（第１の方向及び第２の方向）に屈折し、第１の位相差板４０に入射する。
【００２２】
ここで、第１の位相差板４０の複数の行のうち、第１の光学的位相差λ／２を有する第１の行４１（例えば奇数行）を透過する上記２種類の直線偏光は、その偏光軸の角度が９０度回転して第２の偏光板１２へ入射する。このとき、上記２種類の直線偏光のうち、偏光制御用ＬＣＤ２０の第１の液晶部２１を透過した第１の方向の直線偏光は、その偏光軸の角度が第２の偏光板１２の偏光軸と一致するため、この第２の偏光板１２を透過して表示用ＬＣＤに入射する。一方、第２の液晶部２２を透過した第２の方向の直線偏光は、その偏光軸の角度が第２の偏光板１２の偏光軸と直交するため、この第２の偏光板１２を透過せず、表示用ＬＣＤ５０には入射しない。
【００２３】
また、第１の位相差板４０の複数の行のうち、光学的位相差の無い（もしくは第１の光学的位相差と異なる光学的位相差を有する）第２の行４２（例えば偶数行）を透過する上記２種類の直線偏光は、そのままの偏光軸の角度を保ちながら第２の偏光板１２へ入射する。このとき、上記２種類の直線偏光のうち、偏光制御用ＬＣＤ２０の第１の液晶部２１を透過した第１の方向の直線偏光は、その偏光軸の角度が第２の偏光板１２の偏光軸と直交するため、この第２の偏光板１２を透過せず、表示用ＬＣＤには入射しない。一方、偏光制御用ＬＣＤ２０の第２の液晶部２２を透過した第２の方向の直線偏光は、その偏光軸の角度が第２の偏光板１２の偏光軸と一致するため、この第２の偏光板１２を透過して表示用ＬＣＤに入射する。
【００２４】
このとき、第１の位相差板４０の第１の行４１に対応する表示用ＬＣＤ５０の行（例えば奇数行）の複数の表示画素では、不図示の制御回路により、第１の表示画像に応じてその駆動状態が制御される。また、第２の行４２に対応する表示用ＬＣＤ５０の行（例えば偶数行）の複数の表示画素では、第２の表示画像に応じてその駆動状態が制御される。
【００２５】
そして、第１の位相差板４０の第１の行４１を透過した第１の方向の直線偏光は、その第１の行４１に対応した表示用ＬＣＤ５０の行（例えば奇数行）の複数の表示画素を通り、第３の偏光板１３を介して、その第１の表示画像のみを第１の観察者に視認させる。また、第２の行４２を透過した第２の方向の直線偏光は、その第２の行４２に対応した表示用ＬＣＤ５０の行（例えば偶数行）の複数の表示画素を通り、第３の偏光板１３を介して、その第２の表示画像のみを第２の観察者に視認させる。こうして、１つの表示用ＬＣＤ５０上で、第１の方向及び第２の方向でそれぞれ異なる２画面の視認が可能となる。
【００２６】
なお、上述した実施形態では、偏光制御用ＬＣＤ２０の第１の液晶部２１及び第２の液晶部２２は、垂直配向モードにより駆動するものとしたが、本発明はこれに限定されず、次に示す第２の実施形態に係る構成を有してもよい。次に、本発明の第２の実施形態について図面を参照して説明する。図６は、本実施形態に係る液晶表示装置を説明する斜視図である。なお、図６では、後述する第３の偏光板１３、レンチキュラーレンズ３０及び表示用ＬＣＤ５０の図示は省略されているものとする。
【００２７】
本実施形態の液晶表示装置では、第１の実施形態とは異なり、偏光制御用ＬＣＤ２０の第１の液晶部２１及び第２の液晶部２２は、電界制御複屈折（ＥＣＢ；Ｅｌｅｃｔｒｉｃａｌｌｙ  Ｃｏｎｔｒｏｌｌｅｄ  Ｂｉｒｅｆｒｉｇｅｎｃｅ）モードにより駆動する。ここで、第１の液晶部２１に生じる光学的位相差Ｒは任意であるが、例えばλ／４であるものとする。また、第２の液晶部２２に生じる光学的位相差は、Ｒ＋λ／２であるものとする。また、第１の液晶部２１及び第２の液晶部２２の不図示の透明電極には、図３のような配向制御部２５が必ずしも形成されている必要はない。
【００２８】
その他の構成については、図１及び図２に示した第１の実施形態と同様である。また、第１の位相差板４０の第１の行４１は偶数行であるものとし、第２の行４２は奇数行であるものとして説明を行う。なお、これらの第１の行４１及び第２の行は、第１の実施形態と同様に、各行から出射した直線偏光の偏光軸が互いに直交するように形成される。
【００２９】
そして、図６に示すように、偏光制御用ＬＣＤ２０の第１の偏光板１１側には、第４の偏光板２３Ｃが配置されている。この第４の偏光板２３Ｃは、上記第１の液晶部２１が有する光学的位相差Ｒと同じ光学的位相差である。
【００３０】
次に、本実施形態の液晶表示装置の動作について図面を参照して説明する。図７は、本実施形態の液晶表示装置の動作を説明する概念図である。
【００３１】
図７に示すように、最初に、第１の偏光板１１によりバックライト用光源ＢＬの全方位光から直線偏光が抽出される。この直線偏光は、第４の位相差板２３Ｃに入射し、その偏光軸の角度が光学的位相差Ｒに応じて回転して（Ｒ＝λ／４の場合は円偏光となって）、偏光制御用ＬＣＤ２０へ入射する。ここで、偏光制御用ＬＣＤ２０の第１の液晶部２１へ入射した直線偏光の偏光軸の角度は、その光学的位相差Ｒ＝λ／４により、第１及び第２の偏光板１１,１２の偏光軸と同じ角度となる。一方、第２の液晶部２２に入射した直線偏光の偏光軸の角度は、その光学的位相差Ｒ＋λ／２により、さらに９０度回転して、第１及び第２の偏光板１１,１２の偏光軸と直交する角度となる。
【００３２】
このとき、上述した第４の位相差板２３Ｃにより、偏光制御用ＬＣＤ２０内で生じる複屈折による不要な光学的位相差を除去することが可能となる。
【００３３】
次に、偏光制御用ＬＣＤ２０から出射した上記光学的位相差の異なる２種類の直線偏光は、不図示のレンチキュラーレンズ３０を透過することにより、それぞれ異なる２つの方向（第１の方向及び第２の方向）に屈折し、第１の位相差板４０に入射する。
【００３４】
ここで、第１の位相差板４０の複数の行のうち、光学的位相差の無い（もしくは第１の光学的位相差と異なる光学的位相差を有する）第１の行４１（例えば偶数行）を透過する上記２種類の直線偏光は、そのままの偏光軸の角度を保ちながら第２の偏光板１２へ入射する。このとき、上記２種類の直線偏光のうち、偏光制御用ＬＣＤ２０の第１の液晶部２１を透過した第１の方向の直線偏光は、その偏光軸の角度が第２の偏光板１２の偏光軸と一致するため、この第２の偏光板を透過して表示用ＬＣＤ５０に入射する。一方、偏光制御用ＬＣＤ２０の第２の液晶部２２を透過した第２の方向の直線偏光は、その偏光軸の角度が第２の偏光板１２の偏光軸と直交するため、この第２の偏光板１２を透過しない。
【００３５】
また、第１の位相差板４０の複数の行のうち、第１の光学的位相差λ／２を有する第２の行４２（例えば奇数行）を透過する上記２種類の直線偏光の偏光軸の角度は、９０度回転して第２の偏光板１２へ入射する。このとき、上記２種類の直線偏光のうち、偏光制御用ＬＣＤ２０の第１の液晶部２１を透過した第１の方向の直線偏光は、その偏光軸の角度が第２の偏光板１２の偏光軸と直交するため、この第２の偏光板を透過しない。一方、第２の液晶部２２を透過した第２の方向の直線偏光は、その偏光軸の角度が第２の偏光板１２の偏光軸と一致するため、この第２の偏光板１２を透過して表示用ＬＣＤ５０に入射する。
【００３６】
このとき、第１の位相差板４０の第１の行４１に対応する表示用ＬＣＤ５０の行（例えば偶数行）の複数の表示画素では、不図示の制御回路により、第１の表示画像に応じてその駆動状態が制御される。また、第２の行４２に対応する表示用ＬＣＤ５０の行（例えば奇数行）の複数の表示画素では、第２の表示画像に応じてその駆動状態が制御される。
【００３７】
そして、第１の位相差板４０の第１の行４１を透過した第１の方向の直線偏光は、その第１の行４１に対応した表示用ＬＣＤ５０の行（例えば偶数行）の複数の表示画素を通り、第３の偏光板１３を介して、その第１の表示画像のみを第１の観察者に視認させる。また、第２の行４２を透過した第２の方向の直線偏光は、その第２の行４２に対応した表示用ＬＣＤ５０の行（例えば奇数行）の複数の表示画素を通り、第３の偏光板１３を介して、その第２の表示画像のみを第２の観察者に視認させる。こうして、１つの表示用ＬＣＤ５０上で、第１の方向及び第２の方向でそれぞれ異なる２画面の視認が可能となる。
【００３８】
なお、上述した第１及び第２の実施形態では、必要に応じて、偏光制御用ＬＣＤ２０に対するレンチキュラーレンズ３０の配置位置を調節することにより、直線偏光の進行方向、即ち第１の方向及び第２の方向を任意に変化させることができる。さらにいえば、第１の方向及び第２の方向を、１人の観察者の左眼及び右眼のそれぞれに合わせて調節し、表示用ＬＣＤ５０の奇数行と偶数行に立体視用の２つの表示画像をそれぞれ表示すれば、３次元表示モードに任意に切り替えることができる。
【００３９】
また、必要に応じて、第１及び第２の液晶部２１，２２の全てが同一の光学的位相差となるように電圧印加の有無を制御することにより、直線偏光を一方の方向のみに進行させて、一方の観察者のみよる視認（２次元表示モード）に任意に切り替えることができる。
【００４０】
また、必要に応じて、第３の偏光板１３上もしくは表示用ＬＣＤ５０上に、視野角を拡大するための光学的位相差を有した視野角補償フィルム（不図示）を配置することで、上記各表示モードにおける表示用ＬＣＤ５０に対する視野角を拡大することができる。
【図面の簡単な説明】
【００４１】
【図１】本発明の第１の実施形態に係る液晶表示装置を説明する断面図である。
【図２】本発明の第１の実施形態に係る液晶表示装置を説明する斜視図である。
【図３】本発明の第１の実施形態に係る液晶表示装置を説明する平面図及びそのＸ−Ｘ線に沿った断面図である。
【図４】本発明の第１の実施形態に係る液晶表示装置を説明する斜視図である。
【図５】本発明の第１の実施形態に係る液晶表示装置の動作を説明する概念図である。
【図６】本発明の第２の実施形態に係る液晶表示装置を説明する斜視図である。
【図７】本発明の第２の実施形態に係る液晶表示装置の動作を説明する概念図である。
【符号の説明】
【００４２】
１１  第１の偏光板        １２  第２の偏光板        １３  第３の偏光板
２０  偏光制御用ＬＣＤ    ２１  第１の液晶部        ２２  第２の液晶部
２３Ａ  第２の位相差板    ２３Ｂ  第３の位相差板    ２３Ｃ  第４の位相差板
２４  透明基板            ２５  配向制御部          ３０  レンチキュラーレンズ
４０  第１の位相差板      ４１  第１の行            ４２  第２の行
５０  表示用ＬＣＤ
【図１】
2006276569.tif 000003
【図２】
2006276569.tif 000004
【図３】
2006276569.tif 000005
【図４】
2006276569.tif 000006
【図５】
2006276569.tif 000007
【図６】
2006276569.tif 000008
【図７】
2006276569.tif 000009